(57)【要約】      （修正有）【課題】片手で軽く立て起こすことができる自転車スタンドの立て起こし手動操作装置を提供する。【解決手段】ハンドル軸杆ａの支持杆のやや中央に、上端を握り１ａとしたてこ杆１の側部を枢着し、一方スタンド杆Ｄの側部に一端を枢着したリンク片２の他端を、軸受杆ｂの軸受けに回動自在に枢着した作動杆３のやや中央に枢着し、当該作動杆３の下部と前記てこ杆１の下部に曳き杆４の両端を夫々枢着してリンクせしめた構造とする。更に、てこ杆１の下部に、前輪に向けた二又爪５を設け、てこ杆１の手先の手動操作により、リンク機構と前輪Ａの転動補助を利用してスタンド杆Ｄを軽く立て起きさせ、同時に前輪を保着固定して車輪のぶれを防ぎ、車体の立て置きを安定せしめる。【選択図】図１
0003154114.tif 000002
【実用新案登録請求の範囲】
【請求項１】
本考案は、前輪（Ａ）のハンドル軸杆（ａ）と後輪（Ｂ）の軸受杆（ｂ）を備えた自転車の車体（Ｇ）の、後輪（Ｂ）の軸受杆（ｂ）の軸受けに、上端部を回動自在に枢着して、走行中はばね（ｄ）で車体後方に跳ね上げ保持する立て起きのスタンド杆（Ｄ）に於て、ハンドル軸杆（ａ）の支持杆（ｅ）のやや中央に、上端を握り（１ａ）としたてこ杆（１）の側部を枢着し、一方スタンド杆（Ｄ）の側部に一端を枢着したリンク片（２）の他端を、軸受杆（ｂ）の軸受けに回動自在に枢着した作動杆（３）のやや中央に枢着し、当該作動杆（３）の下部と前記てこ杆（１）の下部に曳き杆（４）の両端を夫々枢着してリンクせしめた構造を特徴とし、更に、てこ杆（１）の下部に、前輪に向けた二又爪（５）を設け、てこ杆（１）の手先の手動操作により、リンク機構と前輪（Ａ）の転動補助を利用してスタンド杆（Ｄ）を軽く立て起きさせ、同時にてこ杆（１）下部の二又爪（５）が前輪（Ａ）の一部を挟み込み車輪を保着固定してぶれを防ぎ不安定による車体の倒伏による危険を防止して、車体の立て置きを安定せしめることを特徴とした自転車スタンドの立て起こし手動操作装置。
【考案の詳細な説明】
【技術分野】
【０００１】  本考案は、自転車を立て置きに駐輪する場合、車体を持ち上げる足や腕の力を何等必要とせずに、スタンドを接地させて、片手で軽く立て起こす自転車スタンドの立て起こし手動操作装置に関するものである。
【背景技術】
【０００２】  近年、混雑の激しい都会地の交通環境の中で、自転車の利用者が益々増えている現況にあり、外出先で駐輪する場合が多くなっている。一般的に駐輪する場合の車体の立て起きスタンドは、後車輪の軸受けに上端部を回動自在に枢着してあり、走行中は、ばねで跳ね上げ車体後方に保持してあるが、自転車を駐輪する場合は、車体後方に跳ね上げ保持してあるスタンドを足と腕の力で立て起きする。【０００３】  即ち、立て起きスタンドを立てる時は、ばねで跳ね上げ保持してあるスタンドに足を掛け、その足の力で押し下げ、上端部を後車輪軸受けに枢着してあるスタンドを回動させてその下底を接地させ、更にその足の力で押し抑え、腕の力で車体を持ち上げ、スタンドを立て起こすと同時にスタンドの上に車体を乗せる動作をしている。
【考案の開示】
【考案が解決しようとする課題】
【０００４】  この駐輪の場合のスタンドの立て起こし操作は、足と腕のかなりの力を必要とすることから、特に身障者や女性にとっては大きな負担であり、バランスを失うと車体と共に転倒する危険も伴う。自転車事故の６０％はスタンドの倒伏によると云われている。【０００５】  最近は、子供を乗せる母親が多く、２人以上の子供を持つ母親にとって特に許可される３人乗りの場合には、車体を含めて重さ３０ｋｇに及ぶこともあり、この駐輪の場合のスタンドの立て起こし操作は、かなり大きな力の負担が強いられ、子供と共に転倒する危険が多く、大きな問題となっている。
【課題を解決するための手段】
【０００６】  本考案は、前輪（Ａ）のハンドル軸杆（ａ）と後輪（Ｂ）の軸受杆（ｂ）を備えた自転車の車体（Ｇ）の、後輪（Ｂ）の軸受杆（ｂ）の軸受けに、上端部を回動自在に枢着して、走行中はばね（ｄ）で車体後方に跳ね上げ保持する立て起きのスタンド杆（Ｄ）に於て、ハンドル軸杆（ａ）の支持杆（ｅ）のやや中央に、上端を握り（１ａ）としたてこ杆（１）の側部を枢着し、一方スタンド杆（Ｄ）の側部に一端を枢着したリンク片（２）の他端を、軸受杆（ｂ）の軸受けに回動自在に枢着した作動杆（３）のやや中央に枢着し、当該作動杆（３）の下部と前記てこ杆（１）の下部に曳き杆（４）の両端を夫々枢着してリンクせしめた構造を特徴とし、更に、てこ杆（１）の下部に、前輪に向けた二又爪（５）を設け、てこ杆（１）の手先の手動操作により、リンク機構と前輪（Ａ）の転動補助を利用してスタンド杆（Ｄ）を軽く立て起きさせ、同時に前輪を保着固定して車輪の左右のぶれを防ぎ、車体の立て置きを安定せしめることを特徴とした。
【考案の効果】
【０００７】  立て起きのスタンド杆（Ｄ）は、走行中、ばね（ｄ）で車体後方に跳ね上げ保持されているが、この時、てこ杆（１）は、上端の握り（１ａ）を前方に下傾させて傾斜し、ハンドル軸杆（ａ）の支持杆（ｅ）とほぼ一体に収束させているので、走行操作には何ら支障はなく、車体立て置きする場合は、てこ杆（１）の握り（１ａ）を手先で軽く曳くのみで、てこの原理とリンクで回動されたてこ杆（１）の下底が一旦接地し、次にこの接地部が支点となって前輪（Ａ）の車輪が曳き回り助力して、後輪（Ｂ）と共に車体をスタンド杆（Ｄ）の上方に押し上げ車体の重量を支える。従って、車体を持ち上げる足や腕の力を全く必要とせずに、手先の操作で、例えば子供２人乗せたままでの、母親のか弱い力でも、片手の極めて軽い指先の力でスタンドをで軽く立て起こすことが出来る効果がある。と同時にてこ杆（１）下部の二又爪（５）が前輪（Ａ）の一部を挟み込み車輪を固定して左右のぶれを防ぎ不安定による車体の倒伏による危険を防止する効果がある。
【図面の簡単な説明】
【０００８】
【図１】本考案の作動した状態の側面図である。
【図２】本考案の走行状態の側面図である。
【考案を実施するための最良の形態】
【０００９】  本考案は、自転車を立て置きに駐輪する場合、車体を持ち上げる足や腕の力を全く必要とせずに、自転車の従来の機能に何ら支障もなく、リンクとてこを利用してスタンドを接地させて、片手で軽く立て起こす自転車スタンドの立て起こし手動操作装置である。【００１０】  本考案は、前輪（Ａ）のハンドル軸杆（ａ）と後輪（Ｂ）の軸受杆（ｂ）を備えた自転車の車体（Ｇ）の、後輪（Ｂ）の軸受杆（ｂ）の軸受けに、上端部を回動自在に枢着して、走行中はばね（ｄ）で車体後方に跳ね上げ保持する立て起きのスタンド杆（Ｄ）に於て、ハンドル軸杆（ａ）の支持杆（ｅ）のやや中央に、上端を握り（１ａ）としたてこ杆（１）の側部を枢着し、一方スタンド杆（Ｄ）の側部に一端を枢着したリンク片（２）の他端を、軸受杆（ｂ）の軸受けに回動自在に枢着した作動杆（３）のやや中央に枢着し、当該作動杆（３）の下部と前記てこ杆（１）の下部に曳き杆（４）の両端を夫々枢着してリンクせしめた構造を特徴とし、更に、てこ杆（１）の下部に、前輪に向けた二又爪（５）を設け、てこ杆（１）の手先の手動操作により、リンク機構と前輪（Ａ）の転動補助を利用してスタンド杆（Ｄ）を軽く立て起きさせ、同時に前輪を保着固定して車輪の左右のぶれを防ぎ、車体の立て置きを安定せしめることが出来る。曳き杆（４）は、リンク機構を操作せしむるものであるが、材質は金属平棒に限らずロープ・ワイヤーでもよい。【００１１】  立て起きのスタンド杆（Ｄ）は、走行中、ばね（ｄ）で車体後方に跳ね上げ保持されているが、この時、てこ杆（１）は、上端の握り（１ａ）を前方に下傾させて傾斜し、ハンドル軸杆（ａ）の支持杆（ｅ）とほぼ一体に収束させているので、走行操作には何ら支障はなく、車体立て置きする場合は、てこ杆（１）の握り（１ａ）を手先で曳くと、てこ杆（１）の下部は、てこの原理で中央の枢着部（１ｂ）を支点にして、曳き杆（４）と共に、軽く前方に曳かれ、作動杆（３）を作動させてリンク片（２）にリンクするスタンド杆（Ｄ）を回動させて下底を接地させる。更に曳き続けると、スタンド杆（Ｄ）の下底接地部を支点にして前輪（Ａ）の車輪が曳き回り、助力してその作用で後輪（Ｂ）がスタンド杆（Ｄ）の上方に乗り上げ車体の重量を支える、と同時にてこ杆（１）下部の二又爪（５）が前輪（Ａ）の一部を挟み込み車輪を固定してぶれを防ぎ不安定による車体の倒伏による危険を防止する。【００１２】  ２人以上の子供を持つ母親にとって特に許可される３人乗りの場合でも、車体を含めて重さ３０ｋｇに及ぶこともあるが、例えば子供２人乗せたままでの、母親のか弱い力でも、片手の極めて軽い指先の力、つまり、手先の操作で、スタンドを軽く立て起こすことが出来、車体を持ち上げる足や腕の力を全く必要としない効果がある。【００１３】  最近、スタンド杆（Ｄ）の下底接地部を接地する時点で、接地部をワイドに拡張する構造のもが提案させているが、本考案のものは、スタンド杆（Ｄ）の構成には何ら左右されず如何なる形状のものにも適用されるものである。
【符号の説明】
【００１４】Ａ  前輪
Ｂ  後輪
Ｄ  スタンド杆
Ｇ  車体
ａ  ハンドル軸杆
ｂ  軸受杆
ｄ  ばね
ｅ  支持杆
１  てこ杆
１ａ  握り
１ｂ  枢着部
２  リンク片
３  作動杆
４  曳き杆
５  二又爪
【図１】
0003154114.tif 000003
【図２】
0003154114.tif 000004